(57)【要約】      （修正有）【課題】一時フィルムを剥離する際、保護フィルムへ偏在する電荷による故障を防ぐ表示装置の製造方法及び表示装置を提供する。【解決手段】本発明の表示装置の製造方法は、表示領域を有する表示パネル１０を設ける工程と、表示領域の少なくとも一部を被覆するように、表示パネルの上方へ導電膜２０を設ける工程と、導電膜の上方に、保護フィルム３０（第１保護フィルム）及び保護フィルム上の一時フィルム３１（第２保護フィルム）を設ける工程と、表示パネルに導電膜とは異なる導電部４１を設ける工程と、表示パネルの端面の一部に、導電膜と導電部とを導通させる導電性ペースト４０を設ける工程と、一時フィルムを、端面とは反対側より端面方向へ剥離する工程と、を有する。【選択図】図５
2019095561.tif 000002
【特許請求の範囲】
【請求項１】
表示領域を有する表示パネルを設ける工程と、
前記表示領域の少なくとも一部を被覆するように、前記表示パネルの上方へ導電膜を設ける工程と、
前記導電膜の上方に、第１保護フィルム及び前記第１保護フィルム上の第２保護フィルムを設ける工程と、
前記表示パネルに前記導電膜とは異なる導電部を設ける工程と、
前記表示パネルの端面の一部に、前記導電膜と前記導電部とを導通させる導電性樹脂材料を設ける工程と、
前記第２保護フィルムを、前記端面とは反対側より前記端面方向へ剥離する工程と、
を有することを特徴とする表示装置の製造方法。
【請求項２】
前記導電部を設ける工程は、前記第２保護フィルム上に前記導電部を設ける、
ことを特徴とする請求項１に記載の表示装置の製造方法。
【請求項３】
前記表示パネルは、基板を含み、
前記導電部を設ける工程は、前記基板上に前記導電部を設ける、
ことを特徴とする請求項１に記載の表示装置の製造方法。
【請求項４】
前記導電性樹脂材料を設ける工程は、さらに、
前記導電膜と、陰極とを導通させるように導電性樹脂材料を設ける、
ことを特徴とする請求項１から３の何れか１項に記載の表示装置の製造方法。
【請求項５】
前記導電性樹脂材料を設ける工程は、さらに、
前記陰極と、前記導電部とを導通させるように導電性樹脂材料を設ける、
ことを特徴とする請求項４に記載の表示装置の製造方法。
【請求項６】
前記導電性樹脂材料を設ける工程は、さらに、
前記導電膜と、導電性材料からなる光学調整層とを導通させるように導電性樹脂材料を設ける、
ことを特徴とする請求項１から３の何れか１項に記載の表示装置の製造方法。
【請求項７】
前記導電性樹脂材料を設ける工程は、さらに、
前記導電性材料からなる光学調整層と、前記導電部とを導通させるように導電性樹脂材料を設ける、
ことを特徴とする請求項６に記載の表示装置の製造方法。
【請求項８】
表示領域を有する表示パネルと、
前記表示パネルの上方に設けられた前記表示領域の少なくとも一部を被覆する導電膜と、
前記導電膜の上方に設けられた保護フィルムと、
前記導電膜及び前記保護フィルムの側面の少なくとも一部を覆うように設けられた導電性樹脂材料と、
を有することを特徴とする表示装置。
【請求項９】
前記導電性樹脂材料は、さらに、前記表示パネルの側面に設けられている、
ことを特徴とする請求項８に記載の表示装置。
【請求項１０】
表示領域を有する表示パネルと、
前記表示パネルの上方に設けられた前記表示領域の少なくとも一部を被覆する導電膜と、
前記導電膜の上方に設けられた保護フィルムと、
前記表示パネルの基板上に設けられた導電部と、
前記表示パネルに設けられ、前記導電部と、前記導電膜とを導通させる導電性樹脂材料と、
を有することを特徴とする表示装置。
【請求項１１】
前記導電部は陰極と導通する、
ことを特徴とする請求項１０に記載の表示装置。
【請求項１２】
前記導電部は導電性材料からなる光学調整層と導通する、
ことを特徴とする請求項１０に記載の表示装置。
【請求項１３】
前記導電膜は側面を有し、
前記導電性樹脂材料は前記側面と直に接している、
ことを特徴とする請求項１０から１２の何れか１項に記載の表示装置。
【請求項１４】
前記導電部は前記表示領域の外側に位置する、
ことを特徴とする請求項１０から１３の何れか１項に記載の表示装置。
【請求項１５】
前記導電性樹脂材料は、前記導電部と直に接する領域と、前記導電部と前記側面との間に位置する領域とを有する、
ことを特徴とする請求項１４に記載の表示装置。
【発明の詳細な説明】
【技術分野】
【０００１】
本発明は、表示装置の製造方法及び表示装置に関する。
【背景技術】
【０００２】
従来、表示装置の製造プロセスにおいて、表示パネルの保護や補強のため表示面側に保護膜を貼り、その後剥離する工程が開示されている。
【先行技術文献】
【特許文献】
【０００３】
【特許文献１】特開２００７−８７８０７号公報
【発明の概要】
【発明が解決しようとする課題】
【０００４】
しかし、表示パネルから保護膜を剥離する際に、剥離によって当該保護膜側に電荷が偏在してしまう。そのため、当該電荷がＴＦＴ（Ｔｈｉｎ  Ｆｉｌｍ  Ｔｒａｎｓｉｓｔｏｒ：薄膜トランジスタ）や回路へ移動することで当該ＴＦＴや回路の破壊を引き起こす場合がある。
【０００５】
本発明は上記課題に鑑みてなされたものであって、その目的は、表示パネルの保護や補強のため、表示面側に設けられた保護フィルム（第１保護フィルムともいう）と当該保護フィルムを保護するための一時フィルム（第２保護フィルムともいう）のうち、当該一時フィルムを剥離する際、当該保護フィルムへ偏在する電荷によるＴＦＴや回路の破壊による故障を防ぐ表示装置の製造方法及び表示装置を提供する。
【課題を解決するための手段】
【０００６】
本発明の表示装置の製造方法は、表示領域を有する表示パネルを設ける工程と、前記表示領域の少なくとも一部を被覆するように、前記表示パネルの上方へ導電膜を設ける工程と、前記導電膜の上方に、保護フィルム（第１保護フィルム）及び前記保護フィルム上の一時フィルム（第２保護フィルム）を設ける工程と、前記表示パネルに前記導電膜とは異なる導電部を設ける工程と、前記表示パネルの端面の一部に、前記導電膜と前記導電部とを導通させる導電性樹脂材料を設ける工程と、前記一時フィルムを、前記端面とは反対側より前記端面方向へ剥離する工程と、を有する。
【０００７】
本発明の表示装置の製造方法は、さらに、前記一時フィルム上に前記導電部を設ける工程と、を有してもよい。
【０００８】
本発明の表示装置の製造方法は、さらに、前記表示パネルが設けられる基板上に前記導電部を設ける工程、を有してもよい。
【０００９】
前記導電性樹脂材料を設ける工程は、さらに、前記導電膜と陰極を導通させるように導電性樹脂材料を設けてもよい。
【００１０】
前記導電性樹脂材料を設ける工程は、さらに、前記導電膜と、導電性材料からなる光学調整層とを、導通させるように導電性樹脂材料を設けてもよい。
【００１１】
本発明の表示装置は、表示領域を有する表示パネルと、前記表示パネルの上方に設けられた前記表示領域の少なくとも一部を被覆する導電膜と、前記導電膜の上方に設けられた保護フィルムと、前記導電膜及び前記保護フィルムの側面の少なくとも一部を覆うように設けられた導電性樹脂材料と、を有する。
【００１２】
本発明の表示装置は、表示領域を有する表示パネルと、前記表示パネルの上方に設けられた前記表示領域の少なくとも一部を被覆する導電膜と、前記導電膜の上方に設けられた保護フィルムと、前記表示パネルの基板上に設けられた導電部と、前記表示パネルに設けられ、前記導電部と前記導電膜とを導通させる導電性樹脂材料と、を有する。
【図面の簡単な説明】
【００１３】
【図１】本発明の第１の実施形態に係る表示装置１を概略的に示す平面図である。
【図２】表示パネル１０を設ける工程を示す、第１の実施形態に係る表示装置１における図１のＡ−Ａ線に沿った位置での垂直断面図である。
【図３】導電膜２０を設ける工程を示す、第１の実施形態に係る表示装置１における図１のＡ−Ａ線に沿った位置での垂直断面図である。
【図４】保護フィルム３０及び一時フィルム３１を設ける工程を示す、第１の実施形態に係る表示装置１における図１のＡ−Ａ線に沿った位置での垂直断面図である。
【図５】導電ペースト４０及び導電部４１を設ける工程を示す、第１の実施形態に係る表示装置１における図１のＡ−Ａ線に沿った位置での垂直断面図である。
【図６】一時フィルム３１を剥離した、第１の実施形態に係る表示装置１における図１のＡ−Ａ線に沿った位置での垂直断面図である。
【図７】導電ペースト４０及び導電部４１を設ける工程を示す、変形例１に係る表示装置１における図１のＡ−Ａ線に沿った位置での垂直断面図である。
【図８】一時フィルム３１を剥離した変形例１に係る表示装置１における、図１のＡ−Ａ線に沿った位置での垂直断面図である。
【図９】導電ペースト４０及び導電部４１を設ける工程を示す、変形例２に係る表示装置１における図１のＡ−Ａ線に沿った位置での垂直断面図である。
【図１０】一時フィルム３１を剥離した変形例２に係る表示装置１における、図１のＡ−Ａ線に沿った位置での垂直断面図である。
【図１１】導電ペースト４０及び導電部４１を設ける工程を示す、変形例３に係る表示装置１における図１のＡ−Ａ線に沿った位置での垂直断面図である。
【図１２】一時フィルム３１を剥離した変形例３に係る表示装置１における、図１のＡ−Ａ線に沿った位置での垂直断面図である。
【図１３】本発明の第２の実施形態に係る表示装置１を概略的に示す平面図である。
【図１４】導電性ペースト４０及び接地電極５０を設ける工程を示す、第２の実施形態に係る表示装置１における図２のＢ−Ｂ線に沿った位置での垂直断面図である。
【図１５】一時フィルム３１を剥離した第２の実施形態に係る表示装置１における、図２のＢ−Ｂ線に沿った位置での垂直断面図である。
【図１６】一時フィルム３１を剥離した変形例４に係る表示装置１における、図２のＢ−Ｂ線に沿った位置での垂直断面図である。
【図１７】一時フィルム３１を剥離した変形例５に係る表示装置１における、図２のＢ−Ｂ線に沿った位置での垂直断面図である。
【図１８】一時フィルム３１を剥離した変形例６に係る表示装置１における、図２のＢ−Ｂ線に沿った位置での垂直断面図である。
【図１９】一時フィルム３１を剥離した変形例７に係る表示装置１における、図２のＢ−Ｂ線に沿った位置での垂直断面図である。
【発明を実施するための形態】
【００１４】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１５】
［第１の実施形態］
図１は、本発明の第１の実施形態に係る表示装置１を概略的に示す平面図である。表示装置１は、液晶表示装置若しくは有機ＥＬ表示装置などの表示装置である。ここでは、有機ＥＬ表示装置を例に説明する。表示装置１は、基板３上に表示パネル１０が設けられている。
【００１６】
図１に示す表示領域２には、複数の画素がマトリクス状に配置される。各画素は、データ信号に従ってトランジスタを駆動し、画像データに応じた画面表示を行うことができる。トランジスタとしては、典型的には、薄膜トランジスタを用いることができるが、電流制御機能を備える素子であれば、如何なる素子を用いても良い。
【００１７】
そして、表示パネル１０が有する表示領域２を覆うように保護フィルム３０（第１保護フィルムともいう）が備えられている。また図１においては、既に剥離された一時フィルム３１（第２保護フィルムともいう）が最後に剥離される終端部（図１においては下の短辺側）に対応する表示パネル１０の端面に、導電ペースト４０が備えられている。
【００１８】
以降、図２から図６を参照して、図１に示すような第１の実施形態に係る表示装置１の製造方法について説明する。なお、図２から図６は全て、図１のＡ−Ａ線で示される部分の断面図である。また、図１は図６と対応している。
【００１９】
図２は、表示パネル１０を設ける工程を示す、第１の実施形態に係る表示装置１における図１のＡ−Ａ線に沿った位置での垂直断面図である。まず、基板３上にＴＦＴ及び画素電極を含む画素アレイ１１が設けられる。
【００２０】
なお、画素アレイ１１が有するＴＦＴの構造は、トップゲート型であってもボトムゲート型であってもよい。また、ＴＦＴを構成する各層の材料は、公知の材料を用いればよく、特に限定はない。例えば、半導体層としては、一般的にはポリシリコン、アモルファスシリコン又は酸化物半導体を用いることができる。ゲート絶縁膜としては、酸化シリコン又は窒化シリコンを用いることができる。ゲート電極は、銅、モリブデン、タンタル、タングステン、アルミニウムなどの金属材料で構成される。層間絶縁膜としては、酸化シリコン又は窒化シリコンを用いることができる。ソース電極及びドレイン電極は、それぞれ銅、チタン、モリブデン、アルミニウムなどの金属材料で構成される。
【００２１】
次に、当該画素アレイ１１上に有機発光膜１２が設けられる。有機発光膜１２は、少なくとも有機材料で構成される発光膜を有し、発光素子の発光部として機能する。また、有機発光膜１２には、発光膜以外に、電子注入層、電子輸送層、正孔注入層、正孔輸送層といった各種層も含まれ得る。
【００２２】
その後、当該有機発光膜１２を被覆するように陰極１３が設けられる。本実施形態の表示装置１は、トップエミッション型であるため、陰極１３には透明電極を用いる。透明電極を構成する薄膜としては、ＭｇＡｇ薄膜もしくは透明導電膜であるＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）を用いる。
【００２３】
次いで、これら積層構造を封止する封止膜１４が設けられる。この封止膜１４は、複数の発光素子を覆っており、発光素子を外部の水分や外気等から保護する。封止膜１４には、窒化シリコン膜など緻密性の良い無機絶縁膜を用いることが好ましい。なお、封止膜は無機絶縁膜と有機絶縁膜との積層構造にしてもよい。
【００２４】
また、さらに封止膜１４を覆うように、粘着層１５が設けられる。粘着層１５としては、ポリイミド系、ポリアミド系、アクリル系、エポキシ系もしくはシロキサン系の公知の樹脂材料を用いることができるが、特に公知の透光性を有する接着材を用いることが好ましい。また、封止膜１４と後述する保護フィルム３０の十分な封止及び貼り合わせが実現できるのであれば、必ずしも図２に示すように封止膜１４全体と重畳するよう粘着層１５を設ける必要はなく、環状の基板貼り合わせ部材（シール材ともいう）を配置してもよい。この基板貼り合わせ部材には、例えば、有機樹脂やフリットガラスが用いられる。
【００２５】
なおここでは、上述の画素アレイ１１、有機発光膜１２、陰極１３、封止膜１４及び粘着層１５による積層構造を、表示パネル１０と呼称する。
【００２６】
図３は、導電膜２０を設ける工程を示す、第１の実施形態に係る表示装置１における図１のＡ−Ａ線に沿った位置での垂直断面図である。図２で示す工程において設けた粘着層１５のうち、表示パネル１０の上方に導電膜２０が設けられる。導電膜２０は、陰極１３と同様に、例えば、ＩＴＯやＩＺＯ等の透光性及び導電性を有する材料からなる。
【００２７】
図４は、保護フィルム３０及び一時フィルム３１を設ける工程を示す、第１の実施形態に係る表示装置１における図１のＡ−Ａ線に沿った位置での垂直断面図である。図３で示す工程において設けた導電膜２０の上方に保護フィルム３０、及び当該保護フィルム３０上に一時フィルム３１が設けられる。保護フィルム３０及び一時フィルム３１は、例えば、ポリイミド、ポリエチレンテレフタレート、ポリエチレンナフタレートその他の可撓性を有する樹脂材料から成る。
【００２８】
図５は、導電ペースト４０及び導電部４１を設ける工程を示す、第１の実施形態に係る表示装置１における図１のＡ−Ａ線に沿った位置での垂直断面図である。導電部４１は、図４で示す工程において設けた一時フィルム３１上に設けられる。その上で、当該一時フィルム３１を図５で示す矢印の方向に剥離するため、最後に剥離する終端部に対応する表示パネル１０の端面に導電ペースト４０を設ける。導電ペースト４０は、例えば、導電性樹脂材料からなり、導電部４１は、例えば、ＩＴＯ層等の透光性及び導電性を有する材料や金属からなる。
【００２９】
図６は、一時フィルム３１を剥離した、第１の実施形態に係る表示装置１における図１のＡ−Ａ線に沿った位置での垂直断面図である。図５に示す状態から図６に示す状態となるよう、一時フィルム３１を剥離する際、当該一時フィルム３１に電荷がたまる。また同時に、保護フィルム３０には当該一時フィルム３１にたまった電荷の反対電荷がたまる。この時保護フィルム３０及び一時フィルム３１にたまった電荷は、保護フィルム３０と隣接する導電膜２０及び一時フィルム３１に隣接する導電部４１へそれぞれ移動する。そして、一時フィルム３１が完全に剥離された直後、剥離に起因して保護フィルム３０側へたまった電荷と一時フィルム３１側へたまった電荷が、導電膜２０と導電部４１とを導通させる導電ペースト４０によって再度移動することで結合し、中性化される。そのため、一時フィルム３１の剥離に起因する電荷移動によって、表示パネル１０が備えるＴＦＴや回路が破壊されることを防ぐことができる。
【００３０】
図７から図１２を参照して、第１の実施形態に係る表示装置１の変形例１から３を示す。なお、第１の実施形態と同様の構成については、説明を省略する。図７は、導電ペースト４０及び導電部４１を設ける工程を示す、変形例１に係る表示装置１における図１のＡ−Ａ線に沿った位置での垂直断面図である。変形例１において、陰極１３は画素アレイ１１と有機発光膜１２とを被覆するように設けられている。また、陰極１３の少なくとも一部は、表示パネル１０の端面に設けられる導電ペースト４０と導通するように設けられている。
【００３１】
図８は、一時フィルム３１を剥離した変形例１に係る表示装置１における、図１のＡ−Ａ線に沿った位置での垂直断面図である。図７に示す状態から図８に示す状態となるよう、一時フィルム３１を剥離する際、当該一時フィルム３１に電荷がたまる。また同時に、保護フィルム３０には当該一時フィルム３１にたまった電荷の反対電荷がたまる。この時一時フィルム３１にたまる電荷は、当該一時フィルム３１に隣接する導電部４１へ移動し、保護フィルム３０にたまる電荷は、保護フィルム３０と隣接する導電膜２０へ移動する。さらに、一部についてはさらに陰極１３へ移動する可能性がある。そのため、一時フィルム３１が完全に剥離された直後、剥離に起因して保護フィルム３０側へたまった電荷と一時フィルム３１側へたまった電荷が、導電部４１と導電膜２０及び陰極１３とを導通させる導電ペースト４０によって再度移動することで結合し、中性化される。これにより、一時フィルム３１の剥離に起因する電荷移動によって、表示パネル１０が備えるＴＦＴや回路が破壊されることをより確実に防ぐことができる。
【００３２】
図９は、導電ペースト４０及び導電部４１を設ける工程を示す、変形例２に係る表示装置１における図１のＡ−Ａ線に沿った位置での垂直断面図である。変形例２は、変形例１における構成のうち、陰極１３と封止膜１４との間に光学調整層１６が設けられていることが異なっている。光学調整層１６は、キャップ層やキャッピング層とも呼称する。光学調整層１６は、有機発光膜１２で発光する光の光路を調整する層である。光学調整層１６は、陰極１３に用いられるＩＴＯ等のセンサパターンの可視化を防ぐ効果も備えている。光学調整層１６は、導電性の材料を含む。また、光学調整層１６は、例えば、高屈折率かつ透明性の高い酸化ジルコニウムや、フッ化リチウムなどを含んでもよい。
【００３３】
図１０は、一時フィルム３１を剥離した変形例２に係る表示装置１における、図１のＡ−Ａ線に沿った位置での垂直断面図である。この時一時フィルム３１に偏在する電荷は、当該一時フィルム３１に隣接する導電部４１へ移動し、保護フィルム３０に偏在する電荷は、当該保護フィルム３０と隣接する導電膜２０へ移動する。さらに、一部についてはさらに光学調整層１６へ移動する可能性がある。この場合、光学調整層１６へ移動した電荷は接している陰極１３へさらに移動する。そのため、一時フィルム３１が完全に剥離された直後、剥離に起因して保護フィルム３０側へたまった電荷と一時フィルム３１側へたまった電荷が、導電部４１と導電膜２０及び陰極１３とを導通させる導電ペースト４０によって再度移動することで結合し、中性化される。これにより、一時フィルム３１の剥離に起因する電荷移動によって、表示パネル１０が備えるＴＦＴや回路が破壊されることをより確実に防ぐことができる。
【００３４】
図１１は、導電ペースト４０及電部４１を設ける工程を示す、変形例３に係る表示装置１における図１のＡ−Ａ線に沿った位置での垂直断面図である。変形例３において、光学調整層１６は陰極１３を被覆するように設けられている。また、光学調整層１６の少なくとも一部は、表示パネル１０の端面に設けられる導電ペースト４０と導通するように設けられている。
【００３５】
図１２は、一時フィルム３１を剥離した変形例３に係る表示装置１における、図１のＡ−Ａ線に沿った位置での垂直断面図である。図９から図１０となるよう、一時フィルム３１を剥離する際、保護フィルム３０及び一時フィルム３１それぞれに電荷が偏在する。この時一時フィルム３１に偏在する電荷は、当該一時フィルム３１に隣接する導電部４１へ移動し、保護フィルム３０に偏在する電荷は、当該保護フィルム３０と隣接する導電膜２０へ移動する。さらに、一部についてはさらに光学調整層１６へ移動する可能性がある。そのため、一時フィルム３１が完全に剥離された直後、剥離に起因して保護フィルム３０側へたまった電荷と一時フィルム３１側へたまった電荷が、導電部４１と導電膜２０及び光学調整層１６とを導通させる導電ペースト４０によって再度移動することで結合し、中性化される。これにより、一時フィルム３１の剥離に起因する電荷移動によって、表示パネル１０が備えるＴＦＴや回路が破壊されることをより確実に防ぐことができる。
【００３６】
［第２の実施形態］
図１３は、本発明の第２の実施形態に係る表示装置１を概略的に示す平面図である。表示装置１は、基板３上に表示パネル１０が設けられている。そして、表示パネル１０が有する表示領域２を覆うように保護フィルム３０が備えられている。図１３においては、既に剥離された一時フィルム３１が最後に剥離される終端部（図１３においては下の短辺側）に対応する導電膜２０の端面と、基板３上に設けた接地電極５０が導通するよう、導電ペースト４０を備えている。接地電極５０は、導電性材料であれば何でもよく、例えば、金属からなる。その上で、接地電極５０が表示装置１を構成する筐体などと接続することで接地している。
【００３７】
以降、図１４及び図１５を参照して、図１３に示すような第２の実施形態に係る表示装置１の製造方法について説明する。なお、図１４及び図１５は、図２のＢ−Ｂ線で示される部分の断面図である。また、図１３は図１５と対応しており、基板３上に表示パネル１０を設ける工程、当該表示パネル１０上に導電膜２０を設ける工程及び当該導電膜２０の上面へ保護フィルム３０及び一時フィルム３１を設ける工程については、第１の実施形態と同様の工程のため、説明を省略する。
【００３８】
図１４は、導電性ペースト４０及び接地電極５０を設ける工程を示す、第２の実施形態に係る表示装置１における図２のＢ−Ｂ線に沿った位置での垂直断面図である。一時フィルム３１を図１４で示す矢印の方向に剥離するため、最後に剥離する終端部に対応する導電膜２０の端面に導電ペースト４０を設ける。また、基板上には接地電極５０が設けられ、導電ペースト４０は、当該接地電極５０とも導通している。なお導電ペースト４０は、導電膜２０の端面から接地電極５０にわたって存在しているが、表示パネル１０の端面の一部を覆うように設けられていてもよい。
【００３９】
図１５は、一時フィルム３１を剥離した第２の実施形態に係る表示装置１における、図２のＢ−Ｂ線に沿った位置での垂直断面図である。図１４から図１５となるよう、一時フィルム３１を剥離する際、当該一時フィルム３１に電荷がたまる。また同時に、保護フィルム３０には当該一時フィルム３１にたまった電荷の反対電荷がたまる。その際、保護フィルム３０にたまる電荷は、当該保護フィルム３０に隣接する導電膜２０へ移動する。そして、導電膜２０と接地電極５０とを導通させる導電ペースト４０によって、当該電荷は接地電極５０へ移動する。そのため、一時フィルム３１の剥離に起因する電荷移動によって保護フィルム３０側にたまる電荷は、導電ペースト４０を通じて接地電極５０から接地されるため、表示パネル１０が備えるＴＦＴや回路が破壊されることを防ぐことができる。
【００４０】
図１６から図１９を参照して、第２の実施形態に係る表示装置１の変形例４から７を示す。なお、第２の実施形態と同様の構成については、説明を省略する。図１６は、一時フィルム３１を剥離した変形例４に係る表示装置１における、図２のＢ−Ｂ線に沿った位置での垂直断面図である。変形例４において、陰極１３は画素アレイ１１と有機発光膜１２を被覆するように設けられている。また、陰極１３の少なくとも一部は、表示パネル１０の端面に設けられる導電ペースト４０と導通するように設けられている。
【００４１】
一時フィルム３１を剥離する際、当該一時フィルム３１に電荷がたまる。また同時に、保護フィルム３０には当該一時フィルム３１にたまった電荷の反対電荷がたまる。この時保護フィルム３０にたまる電荷は、当該保護フィルム３０と隣接する導電膜２０へ移動するが、一部についてはさらに陰極１３へ移動する可能性がある。そのため、接地電極５０と導電膜２０及び陰極１３とを導通させる導電ペースト４０によって、当該電荷は接地電極５０へ移動する。これにより、一時フィルム３１の剥離に起因する電荷移動によって保護フィルム３０側にたまる電荷は、導電ペースト４０を通じて接地電極５０から接地されるため、表示パネル１０が備えるＴＦＴや回路が破壊されることをより確実に防ぐことができる。
【００４２】
図１７は、一時フィルム３１を剥離した変形例５に係る表示装置１における、図２のＢ−Ｂ線に沿った位置での垂直断面図である。変形例５において、光学調整層１６は陰極１１３を被覆するように設けられている。また、光学調整層１６の少なくとも一部は、表示パネル１０の端面に設けられる導電ペースト４０と導通するように設けられている。
【００４３】
一時フィルム３１を剥離する際、当該一時フィルム３１に電荷がたまる。また同時に、保護フィルム３０には当該一時フィルム３１にたまった電荷の反対電荷がたまる。この時保護フィルム３０にたまる電荷は、当該保護フィルム３０と隣接する導電膜２０へ移動する。さらに、一部についてはさらに光学調整層１６へ移動する可能性がある。そのため、接地電極５０と導電膜２０及び光学調整層１６とを導通させる導電ペースト４０によって、当該電荷は接地電極５０へ移動する。これにより、一時フィルム３１の剥離に起因する電荷移動によって保護フィルム３０側にたまる電荷は、導電ペースト４０を通じて接地電極５０から接地されるため、表示パネル１０が備えるＴＦＴや回路が破壊されることをより確実に防ぐことができる。
【００４４】
図１８は、一時フィルム３１を剥離した変形例６に係る表示装置１における、図２のＢ−Ｂ線に沿った位置での垂直断面図である。変形例６において、陰極１３は画素アレイ１１と有機発光膜１２を被覆するように設けられている。また、当該陰極１３に接続するよう、接地電極５０の一部が表示パネル１０内に組み込まれて設けられている。
【００４５】
一時フィルム３１を剥離する際、当該一時フィルム３１に電荷がたまる。また同時に、保護フィルム３０には当該一時フィルム３１にたまった電荷の反対電荷がたまる。この時保護フィルム３０にたまる電荷は、当該保護フィルム３０と隣接する導電膜２０へ移動する。この際、一部についてはさらに陰極１３へ移動する可能性がある。そのため、接地電極５０と導電膜２０及び陰極１３とを導通させる導電ペースト４０によって、当該電荷は接地電極５０へ移動する。これにより、一時フィルム３１の剥離に起因する電荷移動によって保護フィルム３０側にたまる電荷は、導電ペースト４０を通じて接地電極５０から接地されるため、表示パネル１０が備えるＴＦＴや回路が破壊されることをより確実に防ぐことができる。
【００４６】
図１９は、一時フィルム３１を剥離した変形例７に係る表示装置１における、図２のＢ−Ｂ線に沿った位置での垂直断面図である。変形例７において、光学調整層１６は陰極１３を被覆するように設けられている。また、当該光学調整層１６に接続するよう、接地電極５０の一部が表示パネル１０内に組み込まれて設けられている。
【００４７】
一時フィルム３１を剥離する際、当該一時フィルム３１に電荷がたまる。また同時に、保護フィルム３０には当該一時フィルム３１にたまった電荷の反対電荷がたまる。この時保護フィルム３０にたまる電荷は、当該保護フィルム３０と隣接する導電膜２０へ移動する。この際、一部についてはさらに光学調整層１６へ移動する可能性がある。そのため、接地電極５０と導電膜２０及び光学調整層１６とを導通させる導電ペースト４０によって、当該電荷は接地電極５０へ移動する。これにより、一時フィルム３１の剥離に起因する電荷移動によって保護フィルム３０側にたまる電荷は、導電ペースト４０を通じて接地電極５０から接地されるため、表示パネル１０が備えるＴＦＴや回路が破壊されることをより確実に防ぐことができる。
【００４８】
なお、本発明の第１及び第２の実施形態のいずれにおいても、保護フィルム３０の下に設けられている導電膜２０は、表示パネル１０の表示領域２と重畳するように設けられているが、例えば、一時フィルム３１を剥離する方向に沿った縦縞状に導電膜２０を設けるなど、表示パネル１０の表示領域２の少なくとも一部を被覆していればよい。
【００４９】
本発明の思想の範疇において、当業者であれば、各種変更例及び修正例に想到し得るものであり、それら変更例及び修正例についても本発明の範囲に属するものと了解される。例えば、前述の各実施形態に対して、当業者が適宜、構成要素の追加、削除もしくは設計変更を行ったもの、あるいは、工程の追加、省略もしくは条件変更を行ったものも、本発明の要旨を備えている限り、本発明の範囲に含まれる。
【００５０】
また、本実施形態において述べた態様よりもたらされる他の作用効果について本明細書記載から明らかなもの、もしくは当業者において適宜想到し得るものについては、当然に本発明によりもたらされるものと解される。
【符号の説明】
【００５１】
１：表示装置、２：表示領域、３：基板、１０：表示パネル、１１：画素アレイ、１２：有機発光膜、１３：陰極、１４：封止膜、１５：粘着層、１６：光学調整層、２０：導電膜、３０：保護フィルム、３１：一時フィルム、４０：導電ペースト、４１：導電部、５０：接地電極。
【図１】
2019095561.tif 000003
【図２】
2019095561.tif 000004
【図３】
2019095561.tif 000005
【図４】
2019095561.tif 000006
【図５】
2019095561.tif 000007
【図６】
2019095561.tif 000008
【図７】
2019095561.tif 000009
【図８】
2019095561.tif 000010
【図９】
2019095561.tif 000011
【図１０】
2019095561.tif 000012
【図１１】
2019095561.tif 000013
【図１２】
2019095561.tif 000014
【図１３】
2019095561.tif 000015
【図１４】
2019095561.tif 000016
【図１５】
2019095561.tif 000017
【図１６】
2019095561.tif 000018
【図１７】
2019095561.tif 000019
【図１８】
2019095561.tif 000020
【図１９】
2019095561.tif 000021